(57)【要約】【課題】発光装置を使用して撮影を行なう場合に、主被写体の色と背景の色の双方が適切な画像を撮影できるようにする。【解決手段】被写体像を撮像する撮像装置であって、被写界における外光の色温度を検出する外光色温度検出器２０と、被写体を照明するために複数色の光を発光する発光装置であって、複数色の光の各々の発光比率を調節可能な発光装置４８と、外光色温度検出器により検出された外光の色温度に基づいて、発光装置が発光する複数色の光の各々の発光比率を制御する制御装置５０とを具備する。【選択図】      図１
2005328273.tif 000002
【特許請求の範囲】
【請求項１】
被写体像を撮像する撮像装置であって、
被写界における外光の色温度を検出する外光色温度検出手段と、
被写体を照明するために複数色の光を発光する発光手段であって、前記複数色の光の各々の発光比率を調節可能な発光手段と、
前記外光色温度検出手段により検出された外光の色温度に基づいて、前記発光手段が発光する前記複数色の光の各々の発光比率を制御する制御手段と、
を具備することを特徴とする撮像装置。
【請求項２】
前記制御手段は、前記外光色温度検出手段により検出された外光の色温度と、前記発光手段から発光される光の色温度とを近づけるように、前記発光手段が発光する前記複数色の光の各々の発光比率を制御することを特徴とする請求項１に記載の撮像装置。
【請求項３】
前記制御手段は、前記発光手段が発光する前記複数色の光の各々の発光比率に応じて、前記発光手段が発光する光の全体量を制御することを特徴とする請求項１に記載の撮像装置。
【請求項４】
前記制御手段は、前記発光手段に光を発光させる直前に、前記外光色温度検出手段により外光の色温度を検出するように制御することを特徴とする請求項１に記載の撮像装置。
【請求項５】
被写体を照明するために複数色の光を発光する発光手段であって、前記複数色の光の各々の発光比率を調節可能な発光手段を備える撮像装置を制御する方法であって、
被写界における外光の色温度を検出する外光色温度検出工程と、
前記外光色温度検出工程において検出された外光の色温度に基づいて、前記発光手段が発光する前記複数色の光の各々の発光比率を制御する制御工程と、
を具備することを特徴とする撮像装置の制御方法。
【請求項６】
前記制御工程では、前記外光色温度検出工程において検出された外光の色温度と、前記発光手段から発光される光の色温度とを近づけるように、前記発光手段が発光する前記複数色の光の各々の発光比率を制御することを特徴とする請求項５に記載の撮像装置の制御方法。
【請求項７】
前記制御工程では、前記発光手段が発光する前記複数色の光の各々の発光比率に応じて、前記発光手段が発光する光の全体量を制御することを特徴とする請求項５に記載の撮像装置の制御方法。
【請求項８】
前記制御工程では、前記発光手段に光を発光させる直前に、外光の色温度を検出するように制御することを特徴とする請求項５に記載の撮像装置の制御方法。
【請求項９】
請求項５乃至８に記載の制御方法をコンピュータに実行させることを特徴とするプログラム。
【請求項１０】
請求項９に記載のプログラムをコンピュータ読み取り可能に記憶したことを特徴とする記憶媒体。
【発明の詳細な説明】
【技術分野】
【０００１】
本発明は、被写体像を撮像する撮像装置における発光装置の制御技術に関するものである。
【背景技術】
【０００２】
従来、固体メモリ素子を有するメモリカードを記録媒体として、静止画像や動画像を記録する電子カメラ等の撮像装置は既に市販されており、撮影時に発光する発光装置を備える電子カメラも販売されている。
【０００３】
この発光装置を備える電子カメラでは、被写体が暗いときでも発光装置を発光させることで露光量不足を補い、適正な輝度で撮影し、ホワイトバランスの補正も行ってくれるので、電子カメラの使用者にとって有益な機能となっている。
【特許文献１】特開２００２−３３０４４４号公報
【発明の開示】
【発明が解決しようとする課題】
【０００４】
このような従来の発光装置を備える電子カメラ等の撮像装置においては、発光装置の色温度と外光の色温度が近いときには画像全体を適正なホワイトバランスに補正することが可能である。一方、発光装置の色温度と外光の色温度が離れているときには、主被写体に照射される発光装置の光と、外光の光の割合を検出することで、発光装置の色温度と外光の色温度を混合し、主被写体に照射される光の色温度を求め、ホワイトバランスを補正する。しかしながら、このとき、背景部分にまで発光装置の光が届いていれば、背景部分のホワイトバランスも適正になるが、背景部分に発光装置の光が届いていない場合には、背景部分のホワイトバランスは適切でなくなってしまい、撮影画像の背景色は不自然になってしまうという問題があった。
【０００５】
したがって、本発明は上述した課題に鏡みてなされたものであり、その目的は、発光装置を使用して撮影を行なう場合に、主被写体の色と背景の色の双方が適切な画像を撮影できるようにすることである。
【課題を解決するための手段】
【０００６】
上述した課題を解決し、目的を達成するために、本発明に係わる撮像装置は、被写体像を撮像する撮像装置であって、被写界における外光の色温度を検出する外光色温度検出手段と、被写体を照明するために複数色の光を発光する発光手段であって、前記複数色の光の各々の発光比率を調節可能な発光手段と、前記外光色温度検出手段により検出された外光の色温度に基づいて、前記発光手段が発光する前記複数色の光の各々の発光比率を制御する制御手段と、を具備することを特徴とする。
【０００７】
また、この発明に係わる撮像装置において、前記制御手段は、前記外光色温度検出手段により検出された外光の色温度と、前記発光手段から発光される光の色温度とを近づけるように、前記発光手段が発光する前記複数色の光の各々の発光比率を制御することを特徴とする。
【０００８】
また、この発明に係わる撮像装置において、前記制御手段は、前記発光手段が発光する前記複数色の光の各々の発光比率に応じて、前記発光手段が発光する光の全体量を制御することを特徴とする。
【０００９】
また、この発明に係わる撮像装置において、前記制御手段は、前記発光手段に光を発光させる直前に、前記外光色温度検出手段により外光の色温度を検出するように制御することを特徴とする。
【００１０】
また、本発明に係わる撮像装置の制御方法は、被写体を照明するために複数色の光を発光する発光手段であって、前記複数色の光の各々の発光比率を調節可能な発光手段を備える撮像装置を制御する方法であって、被写界における外光の色温度を検出する外光色温度検出工程と、前記外光色温度検出工程において検出された外光の色温度に基づいて、前記発光手段が発光する前記複数色の光の各々の発光比率を制御する制御工程と、を具備することを特徴とする。
【００１１】
また、この発明に係わる撮像装置の制御方法において、前記制御工程では、前記外光色温度検出工程において検出された外光の色温度と、前記発光手段から発光される光の色温度とを近づけるように、前記発光手段が発光する前記複数色の光の各々の発光比率を制御することを特徴とする。
【００１２】
また、この発明に係わる撮像装置の制御方法において、前記制御工程では、前記発光手段が発光する前記複数色の光の各々の発光比率に応じて、前記発光手段が発光する光の全体量を制御することを特徴とする。
【００１３】
また、この発明に係わる撮像装置の制御方法において、前記制御工程では、前記発光手段に光を発光させる直前に、外光の色温度を検出するように制御することを特徴とする。
【００１４】
また、本発明に係わるプログラムは、上記の制御方法をコンピュータに実行させることを特徴とする。
【００１５】
また、本発明に係わる記憶媒体は、上記のプログラムをコンピュータ読み取り可能に記憶したことを特徴とする。
【発明の効果】
【００１６】
本発明によれば、発光装置を使用して撮影を行なう場合に、主被写体の色と背景の色の双方が適切な画像を撮影することが可能となる。
【発明を実施するための最良の形態】
【００１７】
以下、本発明の好適な一実施形態について図面を参照して説明する。
【００１８】
図１は、本発明の撮像装置の一実施形態の構成を示すブロック図である。
【００１９】
図１において、１００は撮像装置である。１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００２０】
１８は撮像素子１４、 Ａ／Ｄ変換器１６、 Ｄ／Ａ変換器２６にクロック信号や制御信号を供給するタイミング発生回路であり、メモリ制御回路２２及びシステム制御回路５０により制御される。
【００２１】
２０は画像処理回路であり、 Ａ／Ｄ変換器１６からのデータ或いはメモリ制御回路２２からのデータに対して所定の画素補間処理や色変換処理を行う。
【００２２】
また、画像処理回路２０においては、撮像した画像データを用いて所定の演算処理を行い、得られた演算結果に基づいてシステム制御回路５０が露光制御部４０、測距制御部４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００２３】
さらに、画像処理回路２０においては、撮像した画像データを用いて所定の演算処理を行い、得られた演算結果に基づいてＴＴＬ方式のＡＷＢ（オートホワイトバランス）処理も行っている。
【００２４】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２５】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２６】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。
【００２７】
画像表示部２８を用いて撮像した画像データを逐次表示すれば、電子ファインダー機能を実現することが可能である。
【００２８】
また、画像表示部２８は、システム制御回路５０の指示により任意に表示をＯＮ／ＯＦＦすることが可能であり、表示をＯＦＦにした場合には撮像装置１００の電力消費を大幅に低減することが出来る。
【００２９】
３０は撮影した静止画像や動画像を格納するためのメモリであり、所定枚数の静止画像や所定時間の動画像を格納するのに十分な記憶容量を備えている。
【００３０】
これにより、複数枚の静止画像を連続して撮影する連射撮影やパノラマ撮影の場合にも、高速かつ大量の画像書き込みをメモリ３０に対して行うことが可能となる。
【００３１】
また、メモリ３０はシステム制御回路５０の作業領域としても使用することが可能である。
【００３２】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００３３】
４０は絞り機能を備えるシャッター１２を制御する露光制御部であり、フラッシュ４８と連携することによりフラッシュ調光機能も有するものである。
【００３４】
４２は撮影レンズ１０のフォーカシングを制御する測距制御部、４４は撮影レンズ１０のズーミングを制御するズーム制御部、４６はバリアである保護装置１０２の動作を制御するバリア制御部である。
【００３５】
４８はフラッシュであり、ＡＦ補助光の投光機能、フラッシュ調光機能も有する。
【００３６】
露光制御部４０、測距制御部４２はＴＴＬ方式を用いて制御されており、撮像した画像データを画像処理回路２０によって演算した演算結果に基づき、システム制御回路５０が露光制御部４０、測距制御部４２に対して制御を行う。
【００３７】
５０は撮像装置１００全体を制御するシステム制御回路、５２はシステム制御回路５０の動作用の定数、変数、プログラム等を記憶するメモリである。
【００３８】
５４はシステム制御回路５０でのプログラムの実行に応じて、文字、画像、音声等を用いて動作状態やメッセージ等を表示する液晶表示装置、スピーカー等の表示部であり、撮像装置１００の操作部近辺の視認し易い位置に単数或いは複数個所設置され、例えばＬＣＤやＬＥＤ、発音素子等の組み合わせにより構成されている。
【００３９】
また、表示部５４は、その一部の機能が光学ファインダー１０４内に設置されている。
【００４０】
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示、等がある。
【００４１】
また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００４２】
５６は電気的に消去・記録可能な不揮発性メモリであり、例えばＥＥＰＲＯＭ等が用いられる。
【００４３】
６０、６２、６４、６６、６８及び７０は、システム制御回路５０の各種の動作指示を入力するための操作部であり、スイッチやダイアル、タッチパネル、視線検知によるポインティング、音声認識装置等の単数或いは複数の組み合わせで構成される。
【００４４】
ここで、これらの操作部の具体的な説明を行う。
【００４５】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。
【００４６】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００４７】
６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００４８】
６６は画像表示ＯＮ／ＯＦＦスイッチで、画像表示部２８のＯＮ／ＯＦＦを設定することが出来る。
【００４９】
この機能により、光学ファインダー１０４を用いて撮影を行う際に、ＴＦＴ  ＬＣＤ等から成る画像表示部への電流供給を遮断することにより、省電力を図ることが可能となる。
【００５０】
６８はクイックレビューＯＮ／ＯＦＦスイッチで、撮影直後に撮影した画像データを自動再生するクイックレビュー機能を設定する。なお、本実施形態では特に、画像表示部２８をＯＦＦとした場合におけるクイックレビュー機能の設定をする機能を備えるものとする。
【００５１】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像移動−（マイナス）ボタン、撮影画質選択ボタン、露出補正ボタン、日付／時間設定ボタン等がある。
【００５２】
８０は電源制御部で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００５３】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源部である。
【００５４】
９０及び９４はメモリカードやハードディスク等の記録媒体とのインタフェース、９２及び９６はメモリカードやハードディスク等の記録媒体と接続を行うコネクタ、９８はコネクタ９２及び／或いは９６に記録媒体２００或いは２１０が装着されているか否かを検知する記録媒体着脱検知部である。
【００５５】
なお、本実施形態では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００５６】
インターフェース及びコネクタとしては、ＰＣＭＣＩＡカードやＣＦ（コンパクトフラッシュ（登録商標））カード等の規格に準拠したものを用いて構成して構わない。
【００５７】
さらに、インタフェース９０及び９４、そしてコネクタ９２及び９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００５８】
１０２は、撮像装置１００のレンズ１０を含む撮像部を覆う事により、撮像部の汚れや破損を防止するバリアである保護装置である。
【００５９】
１０４は光学ファインダであり、画像表示部２８による電子ファインダー機能を使用すること無しに、光学ファインダのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００６０】
１１０は通信部で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００６１】
１１２は通信部１１０により撮像装置１００を他の機器と接続するコネクタ或いは無線通信の場合はアンテナである。
【００６２】
２００はメモリカードやハードディスク等の記録媒体である。
【００６３】
記録媒体２００は、半導体メモリや磁気ディスク等から構成される記録部２０２、撮像装置１００とのインタフェース２０４、撮像装置１００と接続を行うコネクタ２０６を備えている。
【００６４】
２１０はメモリカードやハードディスク等の記録媒体である。
【００６５】
記録媒体２１０は、半導体メモリや磁気ディスク等から構成される記録部２１２、撮像装置１００とのインタフェース２１４、撮像装置１００と接続を行うコネクタ２１６を備えている。
【００６６】
図７はフラッシュ発光部の構成を示す図である。
【００６７】
本実施形態ではＲ（赤）、Ｇ（緑）、Ｂ（青）の３色からなるＬＥＤを発光装置に使用し、各色ごとに発光量のゲインα、β、γを設定して、発光させることが可能である。
【００６８】
図２乃至図６を参照して、一実施形態の撮像装置の動作を説明する。
【００６９】
図２及び図３は本実施形態の撮像装置１００の主ルーチンのフローチャートを示す図である。
【００７０】
図２及び図３を用いて、撮像装置１００の動作を説明する。
【００７１】
電池交換等の電源投入により、システム制御回路５０はフラグや制御変数等を初期化し（ステップＳ１０１）、画像表示部２８の画像表示をＯＦＦ状態に初期設定する（ステップＳ１０２）。
【００７２】
システム制御回路５０は、モードダイアル６０の設定位置を判断し、モードダイアル６０が電源ＯＦＦに設定されていたならば（ステップＳ１０３）、各表示部の表示を終了状態に変更し、保護装置１０２のバリアを閉じて撮像部を保護し、フラグや制御変数等を含む必要なパラメータや設定値、設定モードを不揮発性メモリ５６に記録し、電源制御部８０により画像表示部２８を含む撮像装置１００各部の不要な電源を遮断する等の所定の終了処理を行った後（ステップＳ１０５）、ステップＳ１０３に戻る。
【００７３】
モードダイアル６０が撮影モードに設定されていたならば（ステップＳ１０３）、ステップＳ１０６に進む。
【００７４】
モードダイアル６０がその他のモードに設定されていたならば（ステップＳ１０３）、システム制御回路５０は選択されたモードに応じた処理を実行し（ステップＳ１０４）、処理を終えたならばステップＳ１０３に戻る。
【００７５】
システム制御回路５０は、電源制御部８０により電池等により構成される電源８６の残容量や動作情況が撮像装置１００の動作に問題があるか否かを判断し（ステップＳ１０６）、問題があるならば表示部５４を用いて画像や音声により所定の警告表示を行った後に（ステップＳ１０８）、ステップＳ１０３に戻る。
【００７６】
電源８６に問題が無いならば（ステップＳ１０６）、システム制御回路５０は記録媒体２００或いは２１０の動作状態が撮像装置１００の動作、特に記録媒体に対する画像データの記録再生動作に問題があるか否かを判断し（ステップＳ１０７）、問題があるならば表示部５４を用いて画像や音声により所定の警告表示を行った後に（ステップＳ１０８）、ステップＳ１０３に戻る。
【００７７】
記録媒体２００或いは２１０の動作状態に問題が無いならば（ステップＳ１０７）、表示部５４を用いて画像や音声により撮像装置１００の各種設定状態の表示を行う（ステップＳ１０９）。なお、画像表示部２８の画像表示がＯＮであったならば、画像表示部２８も用いて画像や音声により撮像装置１００の各種設定状態の表示を行う。
【００７８】
システム制御回路５０は、撮像した画像データを逐次表示するスルー表示状態に設定して（ステップＳ１１６）、ステップＳ１１９に進む。
【００７９】
スルー表示状態に於いては、撮像素子１２、Ａ／Ｄ変換器１６、画像処理回路２０、メモリ制御回路２２を介して、画像表示メモリ２４に逐次書き込まれたデータを、メモリ制御回路２２、Ｄ／Ａ変換器２６を介して画像表示部２８により逐次表示することにより、電子ファインダー機能を実現している。
【００８０】
画像表示ＯＮ／ＯＦＦスイッチ６６が画像表示ＯＦＦに設定されていたならば（ステップＳ１１３）、画像表示フラグを解除すると共に（ステップＳ１１７）、画像表示部２８の画像表示をＯＦＦ状態に設定して（ステップＳ１１８）、ステップＳ１１９に進む。
【００８１】
シャッタースイッチＳＷ１が押されていないならば（ステップＳ１１９）、ステップＳ１０３に戻る。
【００８２】
シャッタースイッチＳＷ１が押されたならば（ステップＳ１１９）、ステップＳ１２２に進む。
【００８３】
システム制御回路５０は、測距処理を行って撮影レンズ１０の焦点を被写体に合わせ、測光処理を行って絞り値及びシャッター時間を決定する（ステップＳ１２２）。測光処理に於いて、必要であればフラッシュの設定も行う。
【００８４】
この測距・測光処理ステップＳ１２２の詳細は図４を用いて後述する。
【００８５】
測距・測光処理ステップＳ１２２を終えたならば、ステップＳ１２５に進む。なお、ステップＳ１２４でのスルー表示状態は、ステップＳ１１６でのスルー状態と同じ動作状態である。
【００８６】
シャッタースイッチＳＷ２が押されずに（ステップＳ１２５）、さらにシャッタースイッチＳＷ１も解除されたならば（ステップＳ１２６）、ステップＳ１０３に戻る。
【００８７】
シャッタースイッチＳＷ２が押されたならば（ステップＳ１２５）、ステップＳ１２９に進む。
【００８８】
固定色表示状態に於いては、撮像素子１２、Ａ／Ｄ変換器１６、画像処理回路２０、メモリ制御回路２２を介して画像表示メモリ２４に書き込まれた撮影画像データの代わりに、差し替えた固定色の画像データを、メモリ制御回路２２、Ｄ／Ａ変換器２６を介して画像表示部２８により表示することにより、固定色の映像を電子ファインダーに表示している。
【００８９】
画像表示フラグが解除されていたならば（ステップＳ１２７）、ステップＳ１２９に進む。
【００９０】
システム制御回路５０は、撮像素子１２、Ａ／Ｄ変換器１６、画像処理回路２０、メモリ制御回路２２を介して、或いはＡ／Ｄ変換器１６から直接メモリ制御回路２２を介して、メモリ３０に撮影した画像データを書き込む露光処理、及び、メモリ制御回路２２そして必要に応じて画像処理回路２０を用いて、メモリ３０に書き込まれた画像データを読み出して各種処理を行う現像処理からなる撮影処理を実行する（ステップＳ１２９）。
【００９１】
この撮影処理ステップＳ１２９の詳細は図５を用いて後述する。
【００９２】
システム制御回路５０は撮影処理ステップＳ１２９が終わったならば、ステップＳ１３４に進む。
【００９３】
システム制御回路５０は、メモリ３０に書き込まれた撮影画像データを読み出して、メモリ制御回路２２そして必要に応じて画像処理回路２０を用いて各種画像処理を、また、圧縮・伸長回路３２を用いて設定したモードに応じた画像圧縮処理を行った後、記録媒体２００或いは２１０へ画像データの書き込みを行う記録処理を実行する（ステップＳ１３４）。
【００９４】
この記録処理ステップＳ１３４の詳細は図６を用いて後述する。
【００９５】
記録処理ステップＳ１３４が終了したならば、システム制御回路５０は一連の撮影動作を終えてステップＳ１０３に戻る。
【００９６】
図４は、図３のステップＳ１２２における測距・測光処理の詳細を示すフローチャートである。
【００９７】
システム制御回路５０は、撮像素子１４から電荷信号を読み出し、Ａ／Ｄ変換器１６を介して画像処理回路２０に撮影画像データを逐次読み込む（ステップＳ２０１）。この逐次読み込まれた画像データを用いて、画像処理回路２０はＴＴＬ（スルー・ザ・レンズ）方式のＡＥ（自動露出）処理、ＥＦ（フラッシュプリ発光）処理、ＡＦ（オートフォーカス）処理に用いる所定の演算を行っている。
【００９８】
なお、ここでの各処理は、撮影した全画素数のうちの必要に応じた特定の部分を必要個所分切り取って抽出し、演算に用いている。これにより、 ＴＴＬ方式のＡＥ、ＥＦ、ＡＷＢ、ＡＦの各処理において、中央重点モード、平均モード、評価モードの各モード等の異なるモード毎に最適な演算を行うことが可能となる。
【００９９】
画像処理回路２０での演算結果を用いて、システム制御回路５０は露出（ＡＥ）が適正と判断されるまで（ステップＳ２０２）、露光制御部４０を用いてＡＥ制御を行う（ステップＳ２０３）。
【０１００】
ＡＥ制御で得られた測定データを用いて、システム制御回路５０はフラッシュが必要か否かを判断し（ステップＳ２０４）、フラッシュが必要ならばフラッシュフラグをセットし、フラッシュ４８を充電し（ステップＳ２０５）、外光の色温度を検出し（ステップＳ２０６）、外光検出結果から色ごとのフラッシュ発光比率を算出する（ステップＳ２０７）。この算出の方法は、外光の色を測定した結果のＲＧＢのレベルをＲ1、Ｇ1、Ｂ1とすると、まずフラッシュ各色の発光比率α’、β’、γ’を求める。
【０１０１】
Average＝（Ｒ1＋Ｇ1＋Ｂ1）／３
α1＝Ｒ1／Average
β1＝Ｇ1／Average
γ1＝Ｂ1／Average
これを計算結果のまま使用すると、極端な比率になる恐れがあるので、適切な範囲に収まるように所定の上限値（αupper、βupper、γupper）及び下限値（αlower、βlower、γlower）でクリップするようにする。
【０１０２】
具体的には、
もし、α1＜αlowerならば、α1＝αlowerとする。
【０１０３】
もし、α1＞αupperならば、α1＝αupperとする。
【０１０４】
もし、β1＜βlowerならば、β1＝βlowerとする。
【０１０５】
もし、β1＞βupperならば、β1＝βupperとする。
【０１０６】
もし、γ1＜γlowerならば、γ1＝γlowerとする。
【０１０７】
もし、γ1＞γupperならば、γ1＝γupperとする。
【０１０８】
これを全比率を足して１.００となるように発光比率を正規化すると、
Total＝（α1＋β1＋γ1）
α’＝α1／Total
β’＝β1／Total
γ’＝γ1／Total
こうして各色の発光比率が求められるが、各色の比率を変更すると最終的な照射輝度が変わってしまうため、全体の発光レベルも補正する必要がある。まず基準となる光源の元での輝度Ｙを算出する式として、
Ｙ＝ａ×Ｒ＋ｂ×Ｇ＋ｃ×Ｂ
ここで、ａ，ｂ，ｃは輝度構成比率
があるが、これは基準光源の元で成り立つ式なので、光源が変わると輝度構成比が変わってしまう。これを補正するために、各色の比率に反映する。
Ｙgain＝（ａ×Ｒ＋ｂ×Ｇ＋ｃ×Ｂ）／（ａ×α’×Ｒ＋ｂ×β’×Ｇ＋ｃ×γ’×Ｂ）    α＝α’×Ｙgain
β＝β’×Ｙgain
γ＝γ’×Ｙgain
となり、各色の発光比率α、β、γが求まる。
【０１０９】
システム制御回路５０はフラッシュを発光させるタイミング（図５のステップＳ３０４）において、上記で求められた比率によりフラッシュ４８のＲ、Ｇ、Ｂの各光源を発光させる。
【０１１０】
これにより本実施形態におけるフラッシュ発光撮影は、外光とフラッシュ光の色温度が等しくなり主被写体と背景のホワイトバランスも同一になるので、あらゆるシーンにおいて好ましいカラーバランスの画像を撮影することが可能となる。
【０１１１】
再び図４のフローチャートに戻って、露出（ＡＥ）が適正と判断したならば（ステップＳ２０２）、測定データ及び／或いは設定パラメータをシステム制御回路５０の内部メモリ或いはメモリ５２に記憶する。
【０１１２】
画像処理回路２０での演算結果及びＡＥ制御で得られた測定データを用いて、システム制御回路５０は測距（ＡＦ）が合焦と判断されるまで（ステップＳ２０８）、測距制御部４２を用いてＡＦ制御を行う（ステップＳ２０９）。
【０１１３】
測距（ＡＦ）が合焦と判断したならば（ステップＳ２０８）、測定データ及び或いは設定パラメータをシステム制御回路５０の内部メモリ或いはメモリ５２に記憶し、測距・測光処理ルーチンステップＳ１２２を終了する。
【０１１４】
図５は、図３のステップＳ１２９における撮影処理の詳細を示すフローチャートである。
【０１１５】
システム制御回路５０は、システム制御回路５０の内部メモリ或いはメモリ５２に記憶される測光データに従い、露光制御部４０によって、絞り機能を有するシャッター１２を絞り値に応じて開放して撮像素子１０を露光する（ステップＳ３０１、ステップＳ３０２）。
【０１１６】
フラッシュ・フラグによりフラッシュ４８が必要か否かを判断し（ステップＳ３０３）、必要な場合はフラッシュを発光させる（ステップＳ３０４）。
【０１１７】
システム制御回路５０は、測光データに従って撮像素子１２の露光終了を待ち（ステップＳ３０５）、シャッター１２を閉じて（ステップＳ３０６）、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０に撮影画像のデータを書き込む（ステップＳ３０７）。
【０１１８】
設定された撮影モードに応じて、ホワイトバランス処理（Ｓ３１０）を順次行った後、メモリ３０に処理を終えた画像データを書き込む。
【０１１９】
一連の処理を終えたならば、撮影処理ルーチンＳ１２９を終了する。
【０１２０】
図６は、図３のステップＳ１３４における記録処理の詳細を示すフローチャートである。
【０１２１】
システム制御回路５０は、メモリ制御回路２２を用いて、メモリ３０に書き込まれた画像データを読み出して、設定したモードに応じた画像圧縮処理を圧縮・伸長回路３２により行った後（ステップＳ４０２）、インタフェース９０或いは９４、コネクタ９２或いは９６を介して、メモリカードやコンパクトフラッシュ（登録商標）カード等の記録媒体２００或いは２１０へ圧縮した画像データの書き込みを行う（ステップＳ４０３）。
【０１２２】
記録媒体への書き込みが終わったならば、記録処理ルーチンＳ１３４を終了する。
【０１２３】
なお、上記の実施形態の説明においては、フラッシュに発光ダイオードを用いたが、従来から閃光装置で用いられているキセノン管フラッシュに色フィルタを掛けて複数色用意しても良い。また発光ダイオードは３色としたが、それ以上またはそれ以下の色数であっても良い。
【０１２４】
また、上記の実施形態の説明においては、フラッシュを発光させる前に充電を行うようにしたが、発光ダイオードなどでは充電しなくても発光できるため、充電を行わないシーケンスにしても良い。
【０１２５】
以上の説明から容易に理解できるように、上記の実施形態は、第１に、撮像した静止画像及び或いは動画像を記録媒体に記録する撮像装置であって、制御手段と、撮像手段と、複数色からなる発光手段と、外光色温度検出手段とを有し、前記制御手段は複数色からなる発光手段を発光させて撮影するときに、撮影前に外光色温度検出手段により外光色温度を検出し、外光色温度検出結果に応じて複数色からなる発光手段を発光させることを特徴とする。
【０１２６】
第２に、前記制御手段は複数色からなる発光手段を発光させて撮影するときに、外光色温度検出結果に応じて、複数色からなる発光手段のそれぞれの色ごとの発光レベルを制御することを特徴とする。
【０１２７】
第３に、前記制御手段は複数色からなる発光手段を発光させて撮影するときに、外光色温度検出結果の色温度と、複数色からなる発光手段の発光色温度を近づけるように、複数色からなる発光手段の色ごとの発光レベルを制御することを特徴とする。
【０１２８】
第４に、前記制御手段は複数色からなる発光手段を発光させて撮影するときに、複数色からなる発光手段の色ごとの発光比率を制御するとともに、色ごとの比率に応じて全体の発光レベルを制御することを特徴とする。
【０１２９】
第５に、前記制御手段は複数色からなる発光手段を発光させて撮影するときに、発光させる直前に外光色温度検出手段により外光色温度を検出することを特徴とする。
【０１３０】
上記手段により、発光装置の色温度と外光の色温度が離れることがなくなり、主被写体と背景のホワイトバランスが一致するので、主被写体と背景の色が適切な画像を常に撮影することが可能となる。
【０１３１】
（他の実施形態）
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【０１３２】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【０１３３】
本発明を上記記憶媒体に適用する場合、その記憶媒体には、先に説明した手順に対応するプログラムコードが格納されることになる。
【図面の簡単な説明】
【０１３４】
【図１】本発明の撮像装置の一実施形態の構成を示すブロック図である。
【図２】一実施形態の撮像装置の動作を示す主ルーチンのフローチャートの一部を示す図である。
【図３】一実施形態の撮像装置の動作を示す主ルーチンのフローチャートの一部を示す図である。
【図４】一実施形態の測距・測光ルーチンのフローチャートである。
【図５】一実施形態の撮影ルーチンのフローチャートである。
【図６】一実施形態の記録ルーチンのフローチャートである
【図７】フラッシュの発光部の構成を示す図である。
【符号の説明】
【０１３５】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御部
４２  測距制御部
４４  ズーム制御部
４６  バリア制御部
４８  フラッシュ
５０  システム制御回路
５２  メモリ
５４  表示部
５６  不揮発性メモリ
６０  モードダイアルスイッチ
６２  シャッタースイッチＳＷ１
６４  シャッタースイッチＳＷ２
６６  画像表示ＯＮ／ＯＦＦスイッチ
６８  クイックレビューＯＮ／ＯＦＦスイッチ
７０  操作部
８０  電源制御部
８２  コネクタ
８４  コネクタ
８６  電源部
９０  インタフェース
９２  コネクタ
９４  インタフェース
９６  コネクタ
９８  記録媒体着脱検知部
１００  画像処理装置
１０２  保護装置
１０４  光学ファインダ
１１０  通信部
１１２  コネクタ（またはアンテナ）
２００  記録媒体
２０２  記録部
２０４  インタフェース
２０６  コネクタ
２１０  記録媒体
２１２  記録部
２１４  インタフェース
２１６  コネクタ
【図１】
2005328273.tif 000003
【図２】
2005328273.tif 000004
【図３】
2005328273.tif 000005
【図４】
2005328273.tif 000006
【図５】
2005328273.tif 000007
【図６】
2005328273.tif 000008
【図７】
2005328273.tif 000009